(57)【要約】【課題】容易に緩んだりはずれることがなく、締めすぎて離脱できなくなったりしない接続部材を提供する。【解決手段】筒体の一方にメスコネクタに挿入する接続挿入部を形成し、他方にチューブ挿入部６を形成したオスコネクタ２と、オスコネクタよりも短尺で内部にチューブを挿通可能な筒体であって、その一方の端部の内周面にメスコネクタの雄ねじ部に螺合可能な雌ねじ部を形成し、他方の端部の内周面には当該内周面の内径よりも小さな内径とした食い込み部２０を周方向に形成したロック式固定具４とを備え、オスコネクタは、チューブ挿入部の基端部分に、当該基端部分の外径を当該チューブ挿入部の他の部分の外径よりも大きく設定した拡径部９を形成し、ロック式固定具は、食い込み部の内径を、チューブ挿入部に接続されて拡径するチューブの外径よりも小さい寸法に設定した。【選択図】図４
0003137386.tif 000002
【実用新案登録請求の範囲】
【請求項１】
筒体の一方にメスコネクタに挿入する接続挿入部を形成し、他方にチューブ挿入部を形成したオスコネクタと、
該オスコネクタよりも短尺で内部にチューブを挿通可能な筒体であって、その一方の端部の内周面にメスコネクタの雄ねじ部に螺合可能な雌ねじ部を形成したロック式固定具と、
を備え、
前記オスコネクタのチューブ挿入部の基端部分に、当該基端部分の外径を当該チューブ挿入部の他の部分の外径よりも大きく設定した拡径部を形成し、
前記ロック式固定具の前記雌ねじ部とは反対側の端部の内周面に、当該内周面の内径よりも小さな内径とした食い込み部を周方向に形成し、
該食い込み部の内径を、チューブ挿入部に接続されて拡径するチューブの外径よりも小さい寸法に設定し、
チューブ挿入部にチューブを挿入してロック式固定具の雌ねじ部をメスコネクタの雄ねじ部に螺合した状態で、拡径部によって拡径されたチューブの先端部分にロック式固定具の食い込み部が食い込むようにしたことを特徴とする液体回路用の接続部材。
【請求項２】
前記拡径部が、チューブ挿入部の周方向に複数個所隆設された突起であることを特徴とする請求項１に記載の接続部材。
【請求項３】
前記拡径部が、オスコネクタの軸方向に沿って形成されたリブ状の突起であることを特徴とする請求項１に記載の接続部材。
【請求項４】
前記拡径部が、オスコネクタのチューブ挿入部の基端部分に形成され、チューブ挿入部の先端側から基端部に向けて次第に拡径するテーパー部により構成されたことを特徴とする請求項１に記載の接続部材。
【請求項５】
請求項１から４のいずれかに記載の接続部材を液体回路に含むことを特徴とする医療器具。
【考案の詳細な説明】
【技術分野】
【０００１】
本考案は、チューブの先端にオスコネクタを取り付け、ねじによるロック式固定具によりオスコネクタをメスコネクタに接続する接続部材、およびこの接続部材を途中に含む血液体外循環回路などの医療器具に関するものである。
【背景技術】
【０００２】
血液体外循環回路に使用される従来の接続部材としては、固定具の内周面に形成された係止部が、オスコネクタに形成された第１の係止部及び第２の係止部のうち、後方の第２の係止部を乗り越えて、第１の係止部と第２の係止部の間の溝部に係止され、これにより、固定具が容易には緩まず、また、ひび割れが生じたりすることがないようにしたものがある（特許文献１）。
【０００３】
また、オスコネクタの中間部に形成された第２の係止部に、固定具の内周面に形成した螺合部が螺合し、メスコネクタに形成された係止部に固定具の内周面の前方部に形成した螺合部が螺合することで、オスコネクタとメスコネクタとが固定され、さらに前記螺合の際、固定具の係止部がオスコネクタの第２の係止部を乗り越えて、第１の係止部と第２の係止部の間の溝部に係合することで、容易に緩んだり前後に移動してはずれたりしないようにしたものがある（特許文献２）。
【０００４】
また、メスコネクタとオスコネクタと固定具の組立てに際し、メスコネクタの係止部と固定具の螺合部がかみ合うことにより固定され、固定具の内周面に形成された突起がオスコネクタのチューブ接続部に接続されているチューブに食い込むように構成することにより、容易には緩まないようにしたものもある（特許文献３）。
【０００５】
しかし、特許文献１のものは、オスコネクタの第２の係止部がチューブ側に細くテーパ状に形成されているので、乗り越えるときはスムーズであるが、離脱の際はテーパ状による抵抗があり、離脱しにくくなるという難点がある。
また、特許文献２のものは、オスコネクタにも第１の係止部の他にねじ状の第２の係止部を形成し、固定具の内周面にも螺合部及び係止部を形成しなければならないので、部品の構造が複雑で、さらに構造上どうしても大きくなりがちである。
また、特許文献３のものは、ねじ構造部に突起を持つ構造のため、部品を成型する金型構造としてねじ部を回転させながら抜く構成を採るので製造が煩雑である。
【特許文献１】実用新案登録第３１０９３３３号公報（図２、図３）
【特許文献２】実用新案登録第３１０８８２５号公報（図１）
【特許文献３】実用新案登録第３１２０９９０号公報（図１、図２、図３）
【考案の開示】
【考案が解決しようとする課題】
【０００６】
そこで本考案は、上記に鑑み提案されたもので、その目的は、オスコネクタを固定するロック式固定具が容易に緩んではずれることがなく、締めすぎて離脱できなくなったり、ひび割れが発生したりしない接続部材、およびこれを液体回路の途中に含む医療器具を提供することである。
【課題を解決するための手段】
【０００７】
請求項１に記載の考案は、筒体の一方にメスコネクタに挿入する接続挿入部を形成し、他方にチューブ挿入部を形成したオスコネクタと、
該オスコネクタよりも短尺で内部にチューブを挿通可能な筒体であって、その一方の端部の内周面にメスコネクタの雄ねじ部に螺合可能な雌ねじ部を形成したロック式固定具と、
を備え、
前記オスコネクタのチューブ挿入部の基端部分に、当該基端部分の外径を当該チューブ挿入部の他の部分の外径よりも大きく設定した拡径部を形成し、
前記ロック式固定具の前記雌ねじ部とは反対側の端部の内周面に、当該内周面の内径よりも小さな内径とした食い込み部を周方向に形成し、
該食い込み部の内径を、チューブ挿入部に接続されて拡径するチューブの外径よりも小さい寸法に設定し、
チューブ挿入部にチューブを挿入してロック式固定具の雌ねじ部をメスコネクタの雄ねじ部に螺合した状態で、拡径部によって拡径されたチューブの先端部分にロック式固定具の食い込み部が食い込むようにしたことを特徴とする液体回路用の接続部材である。
【０００８】
請求項２に記載のものは、前記拡径部が、チューブ挿入部の周方向に複数個所隆設された突起であることを特徴とする請求項１に記載の接続部材である。
【０００９】
請求項３に記載のものは、前記拡径部が、オスコネクタの軸方向に沿って形成されたリブ状の突起であることを特徴とする請求項１に記載の接続部材である。
【００１０】
請求項４に記載のものは、前記拡径部が、オスコネクタのチューブ挿入部の基端部分に形成され、チューブ挿入部の先端側から基端部に向けて次第に拡径するテーパー部により構成されたことを特徴とする請求項１に記載の接続部材である。
【００１１】
請求項５に記載ものは、請求項１から４のいずれかに記載の接続部材を液体回路の途中に含むことを特徴とする医療器具である。
【考案の効果】
【００１２】
請求項１の考案によれば、オスコネクタは、チューブ挿入部の基端部分に、当該基端部分の外径を当該チューブ挿入部の他の部分の外径よりも大きく設定した拡径部を有し、ロック式固定具は、食い込み部の内径を、チューブ挿入部に接続されて拡径するチューブの外径よりも小さい寸法に設定してあるので、オスコネクタのチューブ挿入部をチューブに挿入すると、拡径部によりチューブの外径が太くなり、ロック式固定具を締め込むと、拡径部によって拡径されたチューブの先端部分にロック式固定具の食い込み部がチューブに食い込む。したがって、この食い込みによりロック式固定具が外力などで容易に緩むことを防止できる。一方、少し強い力でロック式固定具を戻り回転させると、食い込み部が後退して食い込みが外れて、速やかに離脱させることができる。また、過剰に回しすぎた場合においては、食い込んだチューブの弾性により反発するため、コネクタ破損などの不具合が少ない。
【００１３】
請求項２の考案によれば、拡径部がチューブ挿入部の周方向に複数個所隆設された突起であるので、各突起がチューブに食い込んで、一層確実に緩みを防止できる。
【００１４】
請求項３の考案によれば、拡径部が、オスコネクタの軸方向に沿って形成されたリブ状の突起で構成されるので、チューブへの食い込みが確実であり、一層緩み防止効果を確実ならしめることができる。
【００１５】
請求項４の考案によれば、拡径部がテーパーにより構成されるので、チューブの挿入が突起の場合よりも容易であり、また、チューブの拡大が周方向に亘って連続するので、周方向に連続して食い込み部に食い込む。
【００１６】
請求項５の考案によれば、接続部材を液体回路に含むので、着脱が容易で不用意に外れることがない安全な医療器具を提供することができる。
【考案を実施するための最良の形態】
【００１７】
以下、本考案の実施の最良の形態を図面に基づいて説明する。
図１は接続部材１の接続前における断面図である。図２（ａ）はリブが形成されたオスコネクタ２の正面図、図２（ｂ）はリブが形成されたオスコネクタ２の下半欠截側面図、図２（ｃ）はテーパが形成されたオスコネクタ２の断面図、図３は接続部材１の接続後における断面図であり、図４はチューブとオスコネクタ２の食い込み部分の拡大図である。
【００１８】
本考案に係る接続部材１は、図１に示すように、メスコネクタ３に接続するオスコネクタ２と、接続した状態でロックするロック式固定具４とから概略構成されている。
オスコネクタ２は、図１および図２に示すように、プラスチック製の中空円筒体であり、一方の端部にメスコネクタ３の開口部に接続挿入する筒状の接続挿入部５を形成するとともに該接続挿入部５の外周面を、先端に向かって僅かに縮径するテーパー面とし、他方の端部に第１チューブ１１に挿入する筒状のチューブ挿入部６を形成し、該チューブ挿入部６と上記接続挿入部５との間（長手方向のほぼ中央）には他の部分よりも外径が大きな太径部７を形成し、該太径部７の一端側には段差面を形成し、該段差面を、チューブ挿入部６の基端から起立するチューブストッパ面８としている。そして、チューブ挿入部６の基端部分に、当該基端部分の外径を当該チューブ挿入部６の他の部分の外径よりも大きく設定した拡径部９を形成し、このチューブ挿入部６を第１チューブ１１に充分な深さまで挿入すると、第１チューブ１１の先端部分が拡径部９によって拡径するようにしてある。なお、第１チューブ１１は、人体適合性に優れた合成樹脂製の管であり、可撓性と弾性を有する。また、メスコネクタ３に接続する第２チューブ１２も、第１チューブ１１と同様に、可撓性と弾性を有する。
【００１９】
前記した拡径部９は、挿入した第１チューブ１１の先端部分の内径を拡大してチューブの外径を増加させることができればどのような構成でも良い。例えば、図２（ｂ）に示す拡径部９ａは、オスコネクタ２の軸方向に沿ってリブ状の突起を、周方向に９０度ずつ位相を変えた位置に等間隔で合計４個所形成したものである。また、この突起は、リブ状に限らず、板片、突条、丸突起などでもよい。要するに、第１チューブ１１の内周面の複数個所に接触して該チューブを拡径する作用を奏するものであればよい。さらに、この拡径部９は、チューブを拡径することができればよいので、テーパー部でもよい。具体的には、図２（ｃ）に示すように、オスコネクタ２のチューブ挿入部６の基端部分に、チューブ挿入部６の先端側から基端部に向けて次第に拡径するテーパー部９ｂを形成し、このテーパー部を拡径部９として機能させてもよい。
【００２０】
メスコネクタ３は、図１に示すように、プラスチック製の中空円筒体であり、一方の端部にオスコネクタ２の接続挿入部５を挿入可能な接続開口部１５を形成し、他方には第２チューブ１２に挿入する筒状のチューブ挿入部１６を形成し、該チューブ挿入部１６よりも接続開口部１５側に位置する長手方向ほぼ中央の外面に２枚の翼片１７を１８０度位相を変えて突設し、両翼片１７よりも接続開口部１５側の外周面に、雄ねじ部１８を形成してある。そして、このメスコネクタ３の内部を貫通する中空部は、オスコネクタ２の接続挿入部５のテーパー面に応じたテーパーが内周面に形成されている。
なお、オスコネクタ２の接続対象は、本実施形態に記載したメスコネクタ３に限定されるものではなく、例えば、材質の変更、翼片の有無、チューブ接続部の有無等の様々異なる形態のものでよい。
【００２１】
ロック式固定具４は、オスコネクタ２よりも短尺で内部に第１チューブ１１を挿通可能なプラスチック製の中空筒体であり、筒体の一方の端部の内周面にメスコネクタ３の外周に形成された雄ねじ部１８に螺合可能な雌ねじ部１９を形成し、他方の端部の内周面には当該内周面の内径よりも小さな内径とした食い込み部２０を周方向に形成してある。この食い込み部２０は、第１チューブ１１の自然状態における外径よりも僅かに大きい寸法に設定してあり、第１チューブ１１が前記した拡径部９により膨張した際の外径よりも僅かに小さな寸法に設定されており、膨張した第１チューブ１１の外周面に食い込むように構成されている。なお、食い込み部２０は、環状に限らず非連続な内向き凸部としてもよい。
【００２２】
次に、上記した接続部材１を使用して第１チューブ１１と第２チューブ１２とを接続する場合について説明する。
まず、図１に示すように、ロック式固定具４の食い込み部２０側を第１チューブ１１の基端側（図１中左側）に、ロック式固定具４の雌ねじ部１９側を第１チューブ１１の先端側（図１中右側）に向けた状態でロック式固定具４の内部に第１チューブ１１を通す。
【００２３】
次に、第１チューブ１１の先端をオスコネクタ２のチューブ挿入部６に挿入する。第１チューブ１１を充分な深さ、例えば、チューブの先端がストッパ面８に当接するまで挿入すると、第１チューブ１１の先端部分の内周面に拡径部９が当たって、これにより第１チューブ１１の外径が増大する。
【００２４】
そして、第２チューブ１２の先端部分をメスコネクタ３のチューブ挿入部１６に充分な深さまで挿入し、このメスコネクタ３の接続開口部１５内にオスコネクタ２の接続挿入部５を挿入し、この状態でロック式固定具４を第１チューブ１１の先端側に前進させ、ロック式固定具４を回転しながらさらに前進させて内周面の雌ねじ部１９をメスコネクタ３の雄ねじ部１８に螺合する。雌ねじ部１９と雄ねじ部１８とが螺合し始めた時点では、食い込み部２０がオスコネクタ２の拡径部９の手前に位置しているので、第１チューブ１１の外径も食い込み部２０の内径以下であり、螺合に要する力も小さくロック式固定具４を軽く回転しながら前進させられる。
【００２５】
ロック式固定具４が前進して食い込み部２０が拡径部９に近づくと、第１チューブ１１の外径が拡径部９の拡径作用により増大しているので、食い込み部２０が第１チューブ１１の外周面に圧接し、これによりロック式固定具４を回転する抵抗力も高まる。そして、これまでよりも強い力でロック式固定具４を回転することにより前進させると、図４に示すように、食い込み部２０が第１チューブ１１の弾性力に抗して食い込む。この様にして、食い込み部２０が弾性素材からなる第１チューブ１１の外周面に食い込むと、第１チューブ１１の素材の弾性力によりロック式固定具４の自由回転が拘束され、容易には回転できない状態になる。したがって、振動等が加えられてもロック式固定具４が不用意に戻り回転して緩むこともないし、第１チューブ１１が外れてしまうこともない。なお、ロック式固定具４は、食い込み部２０が第１チューブ１１の外周面に食い込んだ後にオスコネクタ２の太径部７の段差面に当たって停止する。
【００２６】
一方、急いで外す場合には、ある程度の力でロック式固定具４を戻り回転すればロック式固定具４が後退するので、オスコネクタ２とメスコネクタ３とを速やかに離脱させることができ、緊急時においても対処が容易である。
【００２７】
この様に、本考案に係る接続部材１は、ロック式固定具４の後方内径部に形成した食い込み部２０が、拡径部９により拡大したチューブの外周面に食い込むので、外力などの衝撃で容易に緩んだり外れることがない。また、食い込み部２０がチューブに食い込むと、回転抵抗力が急激に増大するので、ロック式固定具４を無理に回し過ぎることも防止することができる。
【００２８】
そして、この接続部材１は、オスコネクタに２にチューブ１１を接続するものであればどのような用途でも使用することができるが、緩みを確実に防止でき、緊急時には速やかに離脱させることができるという特性を備えているので、医療器具として使用することができる。例えば、図５に示す医療器具は、人工透析治療等の体外循環による血液浄化療法に使用する血液回路２３（本考案における液体回路に相当）である。この血液回路２３は、血液浄化器２４の血液流入口２４ａに端部を接続した第１経路Ａのチューブ１１ａの先端に前記オスコネクタ２ａを接続してロック式固定具４ａを設け、血液浄化器２４の血液流出口２４ｂに端部を接続した第２経路Ｂのチューブ１１ｂの先端に前記オスコネクタ２ｂを接続してロック式固定具４ｂを設け、第１経路Ａの途中には、血液ポンプ（図示せず）に当接する可撓性チューブ２５や第１ドリップチャンバ２６を設け、第２経路Ｂの途中には第２ドリップチャンバ２７を設けてある。この血液回路２３を使用して人工透析治療を行うときは、第１経路Ａのオスコネクタ２ａの接続挿入部を接続対象である患者の動脈側カニューラ（図示せず）に挿入するとともに該カニューラの雄ねじ部にロック式固定具４ａの雌ねじ部を螺合して固定し、同様に、第２経路Ｂのオスコネクタ２ｂの接続挿入部を患者の静脈側カニューラ（図示せず）に挿入するとともに該カニューラの雄ねじ部にロック式固定具４ｂの雌ねじ部を螺合して固定する。そして、血液ポンプを作動することにより、患者の動脈から送り出された血液を血液回路２３の第１経路Ａを介して血液浄化器２４に送り、この血液浄化器２４を通って浄化された血液を第２経路Ｂ経由で患者の静脈に戻し、これを繰り返すことにより患者の体内の血液を循環させて人工透析治療を行うことができる。この治療中においてはロック式固定具４ａ，４ｂがオスコネクタ２ａ，２ｂをカニューラに接続した状態で固定しているので、不用意にこの接続部分で外れるなどのトラブルを確実になくして安全な治療に寄与することができる。
【図面の簡単な説明】
【００２９】
【図１】接続部材の組み付け前における断面図である。
【図２】（ａ）はリブが形成されたオスコネクタの正面図、（ｂ）はリブが形成されたオスコネクタの側面図、（ｃ）はテーパが形成されたオスコネクタの断面図である。
【図３】接続部材の組み付けた状態における断面図である。
【図４】チューブとオスコネクタの食い込み部の状態を示す拡大断面図である。
【図５】血液回路の正面図である。
【符号の説明】
【００３０】
１  接続部材
２  オスコネクタ
３  メスコネクタ
４  ロック式固定具
５  接続挿入部
６  チューブ挿入部
９  拡径部
１１  第１チューブ
１２  第２チューブ
１５  接続開口部
１６  チューブ挿入部
１８  雄ねじ部
１９  雌ねじ部
２０  食い込み部
２３  血液回路
２４  血液浄化器
２５  可撓性チューブ
２６  第１ドリップチャンバ
２７  第２ドリップチャンバ
【図１】
0003137386.tif 000003
【図２】
0003137386.tif 000004
【図３】
0003137386.tif 000005
【図４】
0003137386.tif 000006
【図５】
0003137386.tif 000007